(57)【要約】      （修正有）【課題】手を汚すことなく内容物を容易に絞り出すことができ、内容物がペット用食品の場合、餌皿を必要としない絞り出し器を提供する。【解決手段】簡易絞り出し器１０は、長方形形状の本体部１１と、本体部の長軸方向の一方の端部において本体部の幅よりも広い幅とされる受皿部１３と、を有し、本体部の長軸方向の他方の端部近傍には本体部から突出する突起体１７を備え、突起体と受皿部との間の本体部において、本体部の上面と僅かに間隙を形成して本体部の長軸方向に摺動可能とされたスライダー２１を有し、本体部にスティック状フィルム容器３０を載置し、本体部の上面とスライダーとの間隙にスティック状フィルム容器を挿入してスライダーを摺動させることにより、スティック状フィルム容器内の充填物を受皿部に絞り出すことを可能とした。【選択図】図１
0003218518.tif 000002
【実用新案登録請求の範囲】
【請求項１】
スティック状フィルム容器に合わせた長方形形状の本体部と、前記本体部の長軸方向の一方の端部に形成した前記本体部の短軸方向幅よりも広い幅の受皿部と、を有し、前記本体部の長軸方向の他方の端部近傍には該本体部から僅かに突出する突起体を備え、
前記突起体と前記受皿部との間の前記本体部において、前記本体部の上面と僅かに間隙を形成して前記本体部の長軸方向に摺動可能とされたスライダーを有し、
前記本体部に前記スティック状フィルム容器を載置し、前記本体部の上面と前記スライダーとの間隙に前記スティック状フィルム容器を挿入して前記スライダーを摺動させることにより、前記スティック状フィルム容器内の充填物を前記受皿部に絞り出すことを可能としたことを特徴とする簡易絞り出し器。
【請求項２】
前記本体部は、該本体部の上面において、長軸方向中心線の位置が両側部よりも窪んでいることを特徴とする請求項１に記載した簡易絞り出し器。
【請求項３】
前記受皿部は、ハート形形状の対称中心線を前記本体部の長軸方向中心線と一致させたハート形形状とすることを特徴とする請求項１又は請求項２に記載した簡易絞り出し器。
【請求項４】
前記スライダーは、摺動方向の幅が２乃至３センチメートル程度であることを特徴とする請求項１乃至請求項３の何れかに記載した簡易絞り出し器。
【請求項５】
前記突起体は、前記受皿部側の端部が前記本体部の表面から略垂直に立ち上がり、前記本体部の前記他方の端部方向へは前記本体部の表面からの突出量を徐々に小さくする傾斜を有することを特徴とする請求項１乃至請求項４の何れかに記載した簡易絞り出し器。
【考案の詳細な説明】
【技術分野】
【０００１】
本考案は、チューブやスティックの内容物を容易に絞り出すことができる簡易絞り出し器に関するものである。
【背景技術】
【０００２】
今日、粘性を有する物品の収納容器として、チューブ容器が多用されると共に、開封後短期間で消費される商品に関しては、スティック状の多層フィルム容器も多用されている。
【０００３】
このチューブ容器では、通常、指で摘んで内容物を絞り出すも、最後の絞り出しに際して容器内に内容物が残留することが多く、種々の簡易絞り出し器が提案され（例えば特許文献１、２）、また、提供されている。
【０００４】
また、スティック状フィルム容器では、内容物が粘性を有する物品の場合、チューブ用の簡易絞り出し器を流用することもあるも、多くの場合、指先でフィルム容器を扱くようにして絞り出すことが多かった。
【先行技術文献】
【特許文献】
【０００５】
【特許文献１】特開２００４−０５１２１６号公報
【特許文献２】特開２０１２−２０６７７７号公報
【考案の概要】
【考案が解決しようとする課題】
【０００６】
スティック状フィルム容器では、内容物が粘性を有する物品の場合、指先で摘んで最後まで絞り出す様にすることが多く行われているも、最後の絞り出しでは、破断口近辺に内容物が残らないようにすると指先に内容物が付着して指や手を汚すことがあった。
【０００７】
また、内容物がウエットタイプのペット用食品である場合、フィルム容器から絞り出したペットフードを受ける餌皿などを別途用意する手数が必要となることもあった。
【０００８】
本考案は、上述の様な欠点を排除し、手を汚すことなく内容物を絞り出すことのできる簡易絞り出し器であり、内容物がウエットタイプのペット用食品の場合、餌皿を必要としない絞り出し器を提供するものである。
【課題を解決するための手段】
【０００９】
本考案に係る簡易絞り出し器は、スティック状フィルム容器に合わせた長方形形状の本体部と、前記本体部の長軸方向の一方の端部に形成した前記本体部の短軸方向幅よりも広い幅の受皿部と、を有し、前記本体部の長軸方向の他方の端部近傍には該本体部から僅かに突出する突起体を備え、前記突起体と前記受皿部との間の前記本体部において、前記本体部の上面と僅かに間隙を形成して前記本体部の長軸方向に摺動可能とされたスライダーを有し、前記本体部に前記スティック状フィルム容器を載置し、前記本体部の上面と前記スライダーとの間隙に前記スティック状フィルム容器を挿入して前記スライダーを摺動させることにより、前記スティック状フィルム容器内の充填物を前記受皿部に絞り出すことを可能とするものである。
【００１０】
また、前記本体部は、該本体部の上面において、長軸方向中心線の位置が両側部よりも窪んでいることが好ましい。
【００１１】
そして、前記受皿部は、ハート形形状の対称中心線を前記本体部の長軸方向中心線と一致させたハート形形状とすることもある。
【００１２】
更に、前記スライダーは、摺動方向の幅が２乃至３センチメートル程度であることが好ましい。
【００１３】
また、前記突起体は、前記受皿部側の端部が前記本体部の表面から略垂直に立ち上がり、前記本体部の前記他方の端部方向へは前記本体部の表面からの突出量を徐々に小さくする傾斜を有することもある。
【考案の効果】
【００１４】
本考案に係る簡易絞り出し器は、スティック状フィルム容器に合わせた長方形形状の本体部にスライダーを有すると共に、本体部の一方の端部に本体部よりも幅の広い受皿部を、他方の端部近傍には突起体を有するから、本体部に沿って摺動可能とするスライダーが本体部から脱落して紛失することを防止できる。
【００１５】
そして、スティック状フィルム容器の破断口を受皿部の近傍に位置させて本体部にスティック状フィルム容器を載置し、フィルム容器を本体部とスライダーとの間隙に挿入してスライダーを受皿部方向に移動させることにより、内容物を絞り出すことができ、且つ、絞り出した内容物を受皿部で受けることができるため、指先を汚すことなく、且つ、餌皿を用意する必要もなく、スティック状フィルム容器の内容物をペットに与えることもできる。
【００１６】
また、本体部の上面において長軸方向中心線の位置を両側部よりも窪んだ状態とする簡易絞り出し器は、本体部にスティック状フィルム容器を載置するに際して安定させて載置することができ、粘性を有する内容物の絞り出しを容易に行うことができる。
【００１７】
そして、受皿部をハート形として左右対称としつつ本体部の左右に突出させて受皿部の幅を広くすれば、本体部に載置したスティック状フィルム容器に充填されていた内容物を、受皿部から溢すことなく安定的に受皿部に乗せるように絞り出すことができる。
【００１８】
更に、スライダーの摺動方向の幅が２乃至３センチメートル程度とする簡易絞り出し器は、スライダーの上面を指で押さえるようにしてスライダーを摺動させることが容易であり、絞り出しの最後にスライダーをスティック状フィルム容器の破断口まで移動させる場合であっても、指先を内容物で汚すことを確実に防止して容器内の全ての内容物を絞り出すことができる。
【００１９】
また、突起体における本体部端部側の突出量を小さくする傾斜面を設けることにより、スライダーを本体部に組みつけるとき、突起体を容易に乗り越えさせることができ、突起体の受皿部側端部を本体部表面から略垂直とすることにより、突起体と受皿部との間に配置したスライダーが突起体を越えて不用意に本体部から脱落しないようにすることをより確実にすることができる。
【図面の簡単な説明】
【００２０】
【図１】本考案に係る簡易絞り出し器の一実施形態を示す斜視図。
【図２】本考案に係る簡易絞り出し器の使用状態を示す斜視図。
【図３】本考案に係る簡易絞り出し器の他の実施形態を示す斜視図。
【考案を実施するための形態】
【００２１】
本考案に係る簡易絞り出し器の実施形態は、図１に示す様に、長方形形状の本体部11の一端にハート形の受皿部13を有し、本体部11には、本体部11の長軸方向に摺動可能なスライダー21を有する簡易絞り出し器10である。
【００２２】
この本体部11は、スティック状のフィルム容器に粘性を有するウエットタイプのペットフードが充填されたスティック30よりも僅かに大きく、長軸方向の長さを約２０センチメートル弱とし、短軸方向の横幅を約４センチメートルとしているものである。
【００２３】
また、本体部11の長軸方向中心線の位置を両側部よりも僅かに窪ませるように湾曲させて本体部11の上面全体を浅い溝形状とし、図２に示す様に、当該本体部11にスティック30を載置したとき、スティック30を安定的に載置させることができるようにしているものである。
【００２４】
そして、受皿部13は、ハート形形状とし、ハート形の中心線を本体部11の長軸方向中心線と一致させ、ハート形の最大幅を本体部11の幅よりも大きくして左右対称に本体部11の左右に突出させているものである。
【００２５】
また、この受皿部13もその上面中央を受皿部13の周縁部分よりも僅かに窪ませた皿形状としているものである。
【００２６】
更に、この本体部11に摺動可能に取り付けられたスライダー21は、本体部11の短軸方向を長軸とする平板状長方形の上面板部23を有し、上面板部23の長軸方向両端部には、本体部11の側縁を抱え込むように先端を本体部11の下側に巻き込ませた係止部25を有するものである。
【００２７】
また、上面板部23の下側面は、本体部11の上面の湾曲形状にほぼ一致させた湾曲形状として上面板部23の中央近辺を下方に突出させた絞り突起27を有するものである。
【００２８】
尚、絞り突起27は、上面板部23の下面全体に形成する場合に限るものでなく、上面板部23の少なくとも受皿部13側端縁に形成すれば足りるものである。
【００２９】
また、このスライダー21を本体部11に取り付けるに際し、スライダー21を本体部11に対して摺動可能とすると共に、内容物を絞り出して空になったスティック状フィルム容器の積層フィルムをスライダー21と本体部11との間に挟み込む間隙を形成可能とするように、係止部25の巻き込みに多少のゆとりを設けて本体部11の上面との間に僅かな間隙を形成可能とするようにしているものである。
【００３０】
そして、受皿部13とは逆側の本体部11における端部であるエンド部15の近傍において、本体部11の両側から僅かに突出する突起体17を設け、突起体17と受皿部13との間に配置するスライダー21が本体部11から脱落しないようにしている。
【００３１】
この突起体17は、受皿部13側の端部は本体部11の表面から略垂直に立ち上がるようにして側方に突出し、スライダー21が突起体17を乗り越えてエンド部15から不用意に抜け落ちないようにしているものである。
【００３２】
また、エンド部15側の端部は、受皿部13側の端部の突出量よりもその突出量を小さくして両突起体17の先端相互の距離を徐々に小さくするように突起体17の先端を傾斜させ、スライダー21を本体部11に取り付ける際、スライダー21をエンド部15側から強く押し込むことにより、容易に本体部11に取り付けることができるようにしているものである。
【００３３】
従って、この突起体17と受皿部13との間にスライダー21を有する簡易絞り出し器10に、スティック状フィルム容器にペットフードを充填したスティック30を載せるに際し、スティック30の一端を切断し、図２に示したように、破断口33を受皿部13の直近に位置させるようにして簡易絞り出し器10の本体部11にスティック30を載せることができる。
【００３４】
尚、開封した当初のスティック30は、図２に示したようにスティック30をスライダー21と本体部11との間に挟み込む場合に限るものでなく、スライダー21を適宜位置としてスライダー21の上にスティック30を乗せるようにして本体部11に載置し、本体部11のエンド部15側に位置するスティック30の端から順次指先でスティック30を押え、受皿部13の上に破断口33から内容物を押し出すようにすることができる。
【００３５】
そして、内容物を或る程度押し出した後は、スティック30の破断口33とは逆側の端部をスライダー21の下に挿入するようにしてスティック30をスライダー21と本体部11との間に挟むようにすれば足りるものである。
【００３６】
そして、スティック30をスライダー21と本体部11との間に挟み込んだ後は、本体部11のエンド部15近辺と本体部11に載せたスティック30のエンド部15側端部近傍とを指先で挟み持つようにして持ち、スライダー21を受皿部13側へ移動させることにより、内容物を受皿部13で受けるようにして内容物をスティック30から絞り出すことができるものである。
【００３７】
そして、このスライダー21は、摺動方向の幅を２乃至３センチメートル程度としているものであるから、指先でスライダー21の上面を押えて容易にスライダー21を摺動移動させてスティック30から内容物を絞り出すことができ、スライダー21を破断口33まで移動させることにより指先等を内容物で汚すことなく容器内の内容物の全量を容易に絞り出すことができるものである。
【００３８】
そして、スライダー21の上面板部23には絞り突起27を設け、絞り突起27を本体部11の上面の湾曲形状にほぼ一致させた湾曲形状として、空になったスティック状フィルム容器の積層フィルムをスライダー21と本体部11との間に挟み込む僅かな間隙を設けるものであるから、スティック30内に内容物を残さないように絞り出すことが容易に可能となるものである。
【００３９】
尚、図１及び図２に示した受皿部13は、ハート形形状としているも、図３に示す様に、本体部11の両側において円弧状に突出する膨出部14を本体部11の両側に形成し、両膨出部14及び両膨出部14に挟まれた範囲を受皿部13とすることもあり、更には、受皿部13としては、楕円形状や長方形形状、多角形形状等、種々の形状としつつも、本体部11よりも幅が広く、絞り出した内容物を両側に漏らすことなく受皿部13に乗せ、ペットが食し易くすれば足りるものである。
【００４０】
また、受皿部13の中央を周縁部分よりも僅かに窪ませた皿形状とすることにより、受皿部13に絞り出した内容物が受皿部13からこぼれないようにすることを一層確実としているものである。
【００４１】
そして、本体部11のエンド部15近辺に設ける突起体17は、図１及び図２に示したように、本体部11の両側に形成する場合に限ることなく、本体部11の上面に１個又は複数個を設けるように形成することもある。
【００４２】
更に、突起体17の形状としても、受皿部13側の端部を本体部11の表面から垂直に立ち上げ、エンド部15側は本体部11からの突出量を徐々に小さくするようにした傾斜面を有する突起体17とする場合に限ることなく、図３に示した様に、半球形状の突起体17とし、スライダー21を強く押し込む又は引き出す場合は突起体17をスライダー21が乗り越えるも、通常はスライダー21が突起体17を乗り越えて脱落しないようにすることもある。
【００４３】
また、図面に示したスライダー21は、平板状の上面板部23の両端に係止部25を設けて本体部11に取り付けているものであるも、本体部11の両側で本体部11に巻き込ませる係止部25と本体部11の両側に位置する係止部25を接続する直線状棒状体の連結棒を設け、この連結棒を回転中心軸として回転可能とされるローラーを、平板状の上面板部23に換えて備えたローラー式のスライダーとすることもある。
【００４４】
この場合、ローラーは中央部の直径を両端部よりも僅かに大きくして本体部11上面の湾曲形状に合わせた樽型形状のローラーとするものである。
【００４５】
また、本実施の形態とする簡易絞り出し器10は、本体部11の中央を溝形状に窪ませる場合に限るものでなく、本体部11の上面を平坦面とすることもあり、本体部11の上面を平坦面とすれば、スライダー21の上面板部23の内側に絞り突起27を設けることなく単純な平板形状とすることや、ローラー式のスライダーにおいても単純円筒形状のローラーとして簡易絞り出し器10の製造成形を容易とすることができる。
【００４６】
更に、上述の実施の形態は、スティック状フィルム容器の内容物を絞り出す簡易絞り出し器10として説明しているも、粘性を有する内容部を充填したラミネートチューブ容器であっても、同様に当該チューブ容器から内容物を容易に絞り出して受皿部13に絞り出した内容物を乗せることができる簡易絞り出し器10とすることができるものである。
【産業上の利用可能性】
【００４７】
本考案に係る簡易絞り出し器10は、手を汚すことなく内容物を容易に絞り出すことのできる簡易絞り出し器10であり、内容物がウエットタイプのペット用食品の場合、餌皿を必要としない絞り出し器10とすることができるものである。
【符号の説明】
【００４８】
１０  絞り出し器
１１  本体部                      １３  受皿部
１４  膨出部                      １５  エンド部
１７  突起体
２１  スライダー                  ２３  上面板部
２５  係止部                      ２７  絞り突起
３０  スティック                  ３３  破断口
【図１】
0003218518.tif 000003
【図２】
0003218518.tif 000004
【図３】
0003218518.tif 000005